(57)【要約】【課題】火災による熱で樹脂製部品が溶け、下枠に流れ落ちることによる延焼を防止できる防火シャッターのスラット構造を提供する。【解決手段】防火シャッターのスラット構造において、複数の横長の帯板部材２１，２３が上下方向に連結されてそれぞれの連結部３９を中心に回転して可撓自在となるシャッターカーテン１１と、帯板部材である幅木２３の室内側面４１に取り付けられる樹脂製部品である錠装置４３と、錠装置４３の取り付けられる幅木２３の長手方向に沿って一体に成形されるとともに錠装置４３の下方で室内側面４１から突出して設けられ且つ錠装置４３に向かう上方へ起立する立ち上がり部６５を有する樋部３７と、を設けた。【選択図】  図２
2014080760.tif 000002
【特許請求の範囲】
【請求項１】
複数の横長の帯板部材が上下方向に連結されてそれぞれの連結部を中心に回転して可撓自在となるシャッターカーテンと、
前記帯板部材の室内側面に取り付けられる樹脂製部品と、
前記樹脂製部品の取り付けられる帯板部材の長手方向に沿って一体に成形されるとともに、前記樹脂製部品の下方で前記室内側面から突出して設けられ且つ前記樹脂製部品に向かう上方へ起立する立ち上がり部を有する樋部と、
を具備することを特徴とする防火シャッターのスラット構造。
【請求項２】
複数の横長の帯板部材が上下方向に連結されてそれぞれの連結部を中心に回転して可撓自在となるシャッターカーテンと、
前記帯板部材の室内側面に取り付けられる樹脂製部品と、
前記樹脂製部品の取り付けられる帯板部材の長手方向に沿って固定されるとともに、前記樹脂製部品の下方で前記室内側面から突出して設けられ且つ前記樹脂製部品に向かう上方へ起立する立ち上がり部を有する樋部と、
を具備することを特徴とする防火シャッターのスラット構造。
【請求項３】
請求項１または２記載の防火シャッターのスラット構造であって、
前記樋部の前記立ち上がり部が、前記樹脂製部品の前記室内側面からの突出距離よりも前記室内側面から突出し且つ前記樹脂製部品とは前記室内側に所定距離離間していることを特徴とする防火シャッターのスラット構造。
【請求項４】
請求項１，２，３のいずれか１つに記載の防火シャッターのスラット構造であって、
前記立ち上がり部の起立先端側がＲ形状部で形成されていることを特徴とする防火シャッターのスラット構造。
【請求項５】
請求項１，２，３，４のいずれか１つに記載の防火シャッターのスラット構造であって、
前記樹脂製部品が、前記帯板部材と、該帯板部材と反対側の非取付面に配置された金属製背面板とによって挟まれて固定されることを特徴とする防火シャッターのスラット構造。
【請求項６】
請求項１，２，３，４，５のいずれか１つに記載の防火シャッターのスラット構造であって、
前記帯板部材が、前記シャッターカーテンの最下段に接続されて、前記シャッターカーテンの両側のカーテン側部を案内するガイドレールのレール下端同士に渡って設けられる下枠に着地する幅木であることを特徴とする防火シャッターのスラット構造。
【請求項７】
請求項１，２，３，４，５，６のいずれか１つに記載の防火シャッターのスラット構造であって、
前記樹脂製部品が、錠装置であることを特徴とする防火シャッターのスラット構造。
【発明の詳細な説明】
【技術分野】
【０００１】
本発明は、防火シャッターのスラット構造に関する。
【背景技術】
【０００２】
例えば窓用シャッターにおいては、内錠と言われる錠装置は、主要の各部品が金属素材であったが、軽量化、コスト安価、意匠性、錆防止、質感などから、外装を含め部品のほとんどが樹脂素材となっている。その他、窓用シャッターの部品においては、上記と同じ理由で樹脂素材が多く使われている（例えば特許文献１参照）。
【先行技術文献】
【特許文献】
【０００３】
【特許文献１】特開２０１０−９０６５６号公報
【発明の概要】
【発明が解決しようとする課題】
【０００４】
しかしながら、樹脂素材が多く使われている構成であると、屋内側の各部品が、屋外からの火災時に、熱で溶解し、滴下する虞がある。窓用シャッターの場合、シャッターカーテンの両側のカーテン側部を案内するガイドレールのレール下端同士に渡って下枠が設けられており、この下枠には、シャッターカーテンの最下段に設けられる幅木が着地する。シャッターカーテンの室内側面に樹脂製部品が取り付けられている場合、火災の熱によって溶けた溶融樹脂は、下枠に落下し、下枠は建物から屋外に向けて下り勾配に形成されていることで幅木と下枠との隙間から屋外側へ流出して着火し、その結果、屋内方向に炎が入り、延焼となる虞がある。すなわち、溶けて流れた樹脂が、下枠に沿って外へ流れ出て、室内側に燃え移り、そして建物への延焼火災に繋がる虞がある。
【０００５】
本発明は上記状況に鑑みてなされたもので、その目的は、火災による熱でシャッターカーテンに取り付けられた各種樹脂製部品が溶け、下枠に流れ落ちることによる延焼を防止できる防火シャッターのスラット構造を提供することにある。
【課題を解決するための手段】
【０００６】
次に、上記の課題を解決するための手段を、実施の形態に対応する図面を参照して説明する。
本発明の請求項１記載の防火シャッターのスラット構造は、複数の横長の帯板部材２１（９３），２３が上下方向に連結されてそれぞれの連結部３９を中心に回転して可撓自在となるシャッターカーテン１１と、
前記帯板部材２１（９３），２３の室内側面４１に取り付けられる樹脂製部品４３，８３と、
前記樹脂製部品４３，８３の取り付けられる帯板部材２３の長手方向に沿って一体に成形されるとともに、前記樹脂製部品４３，８３の下方で前記室内側面４１から突出して設けられ且つ前記樹脂製部品４３，８３に向かう上方へ起立する立ち上がり部６５を有する樋部３７と、
を具備することを特徴とする。
【０００７】
この防火シャッターのスラット構造では、樹脂製部品４３の取り付けられた部品被着用の帯板部材２３には、樹脂製部品４３の下方に樋部３７が配置され、火災によって樹脂製部品４３が溶けると、溶け落ちた溶融樹脂が樋部３７に受け止められ、それよりも下方、例えば下枠３１への落下を防ぐことができる。これにより、下枠３１に落下し流れる溶融樹脂に、シャッターカーテン１１の外部からの火炎が着火して、下枠３１内の溶融樹脂が燃えることによる室外から室内への延焼が阻止される。また、樋部３７が、部品被着用の帯板部材２３と一体成形されるので、専用部材を製作、組み付けるのに比べ、製品材料コストを安価にでき、組付作業の煩わしさが減少する。
【０００８】
本発明の請求項２記載の防火シャッターのスラット構造は、複数の横長の帯板部材２１（２３），８７が上下方向に連結されてそれぞれの連結部３９を中心に回転して可撓自在となるシャッターカーテン１１と、
前記帯板部材８７の室内側面４１に取り付けられる樹脂製部品４３，８３と、
前記樹脂製部品４３，８３の取り付けられる帯板部材８７の長手方向に沿って固定されるとともに、前記樹脂製部品４３，８３の下方で前記室内側面４１から突出して設けられ且つ前記樹脂製部品４３，８３に向かう上方へ起立する立ち上がり部８５を有する樋部３７と、
を具備することを特徴とする。
【０００９】
この防火シャッターのスラット構造では、樹脂製部品４３の取り付けられた部品被着用の帯板部材８７には、樹脂製部品４３の下方に樋部３７が配置され、火災によって樹脂製部品４３が溶けると、溶け落ちた溶融樹脂が樋部３７に受け止められ、それよりも下方、例えば下枠３１へ落下が防止される。これにより、下枠３１に落下した溶融樹脂に、シャッターカーテン１１の外部からの火炎が着火して、下枠３１内の溶融樹脂が燃えることによる室外から室内への延焼が阻止される。また、樋部３７が、部品被着用の帯板部材８７と別体に製作されて取り付けられるので、既存のシャッターカーテン１１に簡単に追加構成できる。
【００１０】
本発明の請求項３記載の防火シャッターのスラット構造は、請求項１または２記載の防火シャッターのスラット構造であって、
前記樋部３７の前記立ち上がり部６５，８５が、前記樹脂製部品４３，８３の前記室内側面４１からの突出距離よりも前記室内側面４１から大きく突出していることを特徴とする。
【００１１】
この防火シャッターのスラット構造では、樋部３７の立ち上がり部６５，８５が、樹脂製部品４３，８３の室内側面４１からの突出距離よりも室内側面４１から大きく突出され、樹脂製部品４３，８３の非取付面８１と立ち上がり部６５，８５との間に間隙が確保される。これにより、樹脂製部品４３，８３から溶け落ちた溶融樹脂が、立ち上がり部６５，８５の外側にこぼれるのを避けることができて、樋部３７に受け止められる。
【００１２】
本発明の請求項４記載の防火シャッターのスラット構造は、請求項１，２，３のいずれか１つに記載の防火シャッターのスラット構造であって、
前記立ち上がり部６５，８５の起立先端側がＲ形状部７９で形成されていることを特徴とする。
【００１３】
この防火シャッターのスラット構造では、樹脂製部品４３，８３の取り付けられた部品被着用の帯板部材２１，２３，８７，９３では、樹脂製部品４３，８３の下方に樋部３７が配置され、この樋部３７の最も室内側で、立ち上がり部６５，８５が起立する。立ち上がり部６５，８５の起立先端側は、帯板部材２１，２３，８７，９３の長手方向に沿う横方向に延在し、エッジ部が除去されたＲ形状部７９となる。これにより、手指の触れた際の感じが柔らかくなり、且つ手指等が触れても安全性を確保できる。
【００１４】
本発明の請求項５記載の防火シャッターのスラット構造は、請求項１，２，３，４のいずれか１つに記載の防火シャッターのスラット構造であって、
前記樹脂製部品４３，８３が、前記帯板部材２１，２３，８７，９３と、該帯板部材２１，２３，８７，９３と反対側の非取付面８１に配置された金属製背面板９１とによって挟まれて固定されることを特徴とする。
【００１５】
この防火シャッターのスラット構造では、金属製背面板９１が、樹脂製部品４３，８３を例えば貫通する固定ビスなどの固定手段７３によって部品被着用の帯板部材２１，２３，８７，９３に固定される。つまり、樹脂製部品４３，８３は、帯板部材２１，２３，８７，９３の部品取付座と金属製背面板９１との平行な対向面によって挟まれて固定される。これにより、樹脂製部品４３，８３は、一部分が溶融しても、即座に帯板部材２１，２３，８７，９３から落下を阻止できる。
【００１６】
本発明の請求項６記載の防火シャッターのスラット構造は、請求項１，２，３，４，５のいずれか１つに記載の防火シャッターのスラット構造であって、
前記帯板部材が、前記シャッターカーテン１１の最下段に接続されて、前記シャッターカーテン１１の両側のカーテン側部４５を案内するガイドレール２７のレール下端同士に渡って設けられる下枠３１に着地する幅木２３，８７であることを特徴とする。
【００１７】
この防火シャッターのスラット構造では、幅木２３，８７に樹脂製部品４３，８３が固定され、シャッターカーテン１１が閉鎖となると、幅木２３，８７が下枠３１に着地する。樹脂製部品４３，８３が溶融した場合には、下枠３１の直上に位置する樋部３７によって、落下する溶融樹脂が受け止められ、下枠３１への落下を防ぐ。
【００１８】
本発明の請求項７記載の防火シャッターのスラット構造は、請求項１，２，３，４，５，６のいずれか１つに記載の防火シャッターのスラット構造であって、
前記樹脂製部品が、錠装置４３であることを特徴とする。
【００１９】
この防火シャッターのスラット構造では、樹脂製部品が錠装置４３となる。換言すれば、部品被着用の帯板部材２１，２３，８７，９３に、構成部品の素材に樹脂部品を用いた錠装置４３の取り付けが可能となる。
【発明の効果】
【００２０】
本発明に係る請求項１記載の防火シャッターのスラット構造によれば、火災による熱で樹脂製部品が溶けるようなことがあっても、帯板部材と一体の樋部が溶融樹脂を受け止め、この溶融樹脂が下方に流れ落ちることによる延焼を防止できる。
【００２１】
本発明に係る請求項２記載の防火シャッターのスラット構造によれば、火災による熱で樹脂製部品が溶けるようなことがあっても、帯板部材に設けられた樋部が溶融樹脂を受け止め、この溶融樹脂が下方に流れ落ちることによる延焼を防止できる。
【００２２】
本発明に係る請求項３記載の防火シャッターのスラット構造によれば、樋部の立ち上がり部によって、溶けた樹脂製部品の下枠への流れ落ちを阻止できる。
【００２３】
本発明に係る請求項４記載の防火シャッターのスラット構造によれば、帯板部材の室内側へ最も突出する部位となる立ち上がり部の手の触れ易い起立先端側がＲ形状部となることで安全性を確保できる。
【００２４】
本発明に係る請求項５記載の防火シャッターのスラット構造によれば、樹脂製部品が金属製の帯板部材と金属製背面板とによって挟まれて固定され、火災による熱で樹脂製部品が溶け始めることとなっても、金属製背面板がそれを支持し、樹脂製部品が一度に脱落することを防止できる。
【００２５】
本発明に係る請求項６記載の防火シャッターのスラット構造によれば、シャッターカーテンの最下段の幅木に樹脂製部品が設けられるスラット構造において、延焼を防止できる。
【００２６】
本発明に係る請求項７記載の防火シャッターのスラット構造によれば、樹脂材料の使用比率の高い錠装置が用いられた場合の延焼を防止できる。
【図面の簡単な説明】
【００２７】
【図１】本発明の第１実施形態に係るスラット構造を備える防火シャッターの斜視図である。
【図２】図１に示した幅木部分の縦断面図である。
【図３】図２の錠装置を室内側から見た正面図である。
【図４】図２に示した幅木の斜視図である。
【図５】（ａ）は樹脂製部品が屋内側規制部材である第２実施形態に係るスラット構造の縦断面図、（ｂ）は（ａ）のＡ−Ａ矢視図である。
【図６】立ち上がり部が別体である第３実施形態に係るスラット構造の縦断面図である。
【図７】図６の立ち上がり部を室内側から見た正面図である。
【図８】樹脂製部品が幅木と金属製背面板とによって挟まれる第４実施形態に係るスラット構造の縦断面図である。
【図９】図８の金属製背面板を室内側から見た正面図である。
【図１０】立ち上がり部が別体で且つ樹脂製部品が幅木と金属製背面板とによって挟まれる第５実施形態に係るスラット構造の縦断面図である。
【図１１】樋部をスラットに一体に成形した第６実施形態に係るスラット構造の斜視図である。
【発明を実施するための形態】
【００２８】
以下、本発明に係る実施形態を図面を参照して説明する。
図１は本発明の第１実施形態に係るスラット構造を備える防火シャッターの斜視図、図２は図１に示した幅木部分の縦断面図、図３は図２の錠装置を室内側から見た正面図、図４は図２に示した幅木の斜視図である。
第１実施形態に係るスラット構造は、例えばシャッターカーテン１１を用いて建物開口部を開閉する窓用シャッター装置１３に好適に用いることができる。窓用シャッター装置１３は、例えば住宅の窓部１５を構成するサッシ窓１７の外側に取り付けられる。
【００２９】
窓用シャッター装置１３は、建物開口部の上方にシャッター収納部１９が取り付けられる。シャッター収納部１９は、シャッターカーテン１１や巻取装置を収納している。シャッターカーテン１１は、スチール製のスラットを複数連結してなる。また、シャッターカーテン１１は、操出方向の最先端、すなわち、全閉時に下端となる位置に、幅木２３が連結している。
【００３０】
窓用シャッター装置１３は、建物躯体２５（図２参照）である例えば柱に一対のスチール製の側部ブラケットが固定される。それぞれの側部ブラケットの内側には軸受金具が対向して固定され、軸受金具は巻取軸の両端を支持している。巻取軸には巻取ホイールが回転自在に支持され、巻取ホイールはシャッターカーテン１１の操出方向後端である吊元を固定する。
【００３１】
このシャッター収納部１９の左右には、アルミ合金製の一対の外枠が固定されて垂下する。外枠は、サッシ窓１７を挟んで外壁から突出して設けられる。それぞれの外枠の内側にはガイドレール２７が固定される。ガイドレール２７には、シャッターカーテン１１の両側が係合される。シャッターカーテン１１は、建物開口部を挟む左右一対のガイドレール２７に両側が案内されて建物開口部の上方に設置されたシャッター収納部１９から繰り出し及び巻き取られることで建物開口部を昇降自在となって開閉する。
【００３２】
垂下した一対の外枠の外枠下端部２９は、アルミ合金製の下枠３１によって連結される。下枠３１の前側には起立前板３３が全長にわたって起立して形成される。下枠３１は、左右一対のガイドレール２７，２７同士の下側にわたって横方向に設けられ、胴縁の上端に当接する。
【００３３】
本実施形態において、それぞれの外枠の外側は、更にアルミ合金製の化粧枠によって覆われる。一対のガイドレール２７の外側に設けられる外枠と、それぞれの外枠の外側に設けられる化粧枠と、一対の外枠の外枠下端部２９を接続する下枠３１とによってシャッター枠部３５が構成される。
【００３４】
本実施形態のスラット構造は、シャッターカーテン１１と、樹脂製部品と、樋部３７（図２参照）と、を主要な構成として有している。シャッターカーテン１１は、複数の横長の帯板部材であるスチール製のスラット２１が上下方向に連結されてそれぞれの連結部３９を中心に回転して可撓自在となる。樹脂製部品は、任意の一つの帯板部材の室内側面４１に取り付けられる。本実施形態において、樹脂製部品の取り付けられる帯板部材、すなわち、部品被着用の帯板部材は、幅木２３である。また、本実施形態において、樹脂製部品は、錠装置４３である。錠装置４３の設けられる幅木２３は、シャッターカーテン１１の最下段に接続されて、シャッターカーテン１１の両側のカーテン側部４５を案内するガイドレール２７のレール下端同士に渡って設けられる上記の下枠３１に着地する。
【００３５】
幅木２３の室外側面４７（図２参照）には、収納部１９へのシャッターカーテン１１の巻き込み防止用の屋外側規制部材４９が長手方向の両側に設けられる。幅木２３の室内側には、長手方向略中央部分に、錠装置４３が取り付けられている。この錠装置４３は、ケース５１をはじめケース５１内の構成部品の略半分以上が樹脂素材からなる。錠装置４３には操作レバー５３（図３参照）が揺動自在に突設され、操作レバー５３には不図示の操作用の引き紐が連結される。錠装置４３は、引き紐が引かれることで、操作レバー５３が上方へ揺動される。操作レバー５３が揺動されると、幅木２３の両側から突出している錠バー５５（図５（ｂ）参照）が連結軸５７を介して引き込まれ、ガイドレール２７の内側に設けた不図示の突起との係止が解除されて、シャッターカーテン１１の開放方向の移動規制が解除され、すなわち、解錠される。
【００３６】
幅木２３の下端には図２，４に示す接地部５９が垂設される。幅木２３の室外側面４７には断面略Ｌ字形状の水切部６１が突設される。接地部５９を挟み水切部６１の反対側には遮光部６３が垂設される。遮光部６３は、光漏れ防止用の他、幅木２３の強度向上、火の廻り防止の効果を有する。幅木２３の室内側面４１には立ち上がり部６５が設けられる。立ち上がり部６５は、錠装置４３の取り付けられる幅木２３の長手方向に沿って一体に成形されるとともに錠装置４３の下方で室内側面４１から突出して設けられ且つ錠装置４３に向かう上方へ起立する。この立ち上がり部６５は、幅木２３の室内側面４１と受け部６７によって接続される。受け部６７と、立ち上がり部６５とは、樋部３７を構成している。幅木２３は、これら、接地部５９、水切部６１、遮光部６３、及び、樋部３７を構成する受け部６７と立ち上がり部６５が一体に成形される押出一体成形品となる。
【００３７】
幅木２３の室内側面４１には蟻溝状の取付用溝６９が一体成形され、取付用溝６９には板ナット７１（図２参照）が係合される。錠装置４３は、背面側から挿通された固定手段としての固定ビス７３が、この板ナット７１に螺合されることで室内側面４１に固定される。固定ビス７３は、立ち上がり部６５よりも高い位置に配置され、螺着時にドライバーなどの工具が立ち上がり部６５と干渉しないようになっている。また、取付用溝６９の下方には、錠バー５５をガイドする略蟻溝状の錠バー用溝７５が形成される。
【００３８】
樋部３７の立ち上がり部６５は、錠装置４３の室内側面４１からの突出距離よりも室内側面４１から大きく突出している。つまり、錠装置４３は、ケース５１と立ち上がり部６５との間に、所定幅、所定深さの間隙を有し、溶融樹脂落下溝７７（図２参照）が確保されている。
【００３９】
なお、この溶融樹脂落下溝７７を含む樋部３７を形成する深さ及び幅長による容積としては、錠装置４３が火災によって溶けた際の溶融樹脂全てを受け止められる容量とされることが好ましいが、若干漏れ出ても（溢れ出ても）火災の防止に支障が無ければ全量を受け止めることの可能な容量がなくてもよい。
【００４０】
また、上記したように、立ち上がり部６５の突出高さを固定ビス７３の螺着の際に干渉しない高さとして述べたが、この立ち上がり部６５の突出高さは、受け部６７からの錠装置４３の突出高さと同じか高いことが好ましいが、錠装置４３からの立ち上がり部６５の離間距離が大きい、すなわち溶融樹脂落下溝７７を十分に大きく形成する等の理由で溶融樹脂が立ち上がり部６５を越えるのを避けることができたり、溶融樹脂が室内側に若干漏れ出ても火災の防止に支障が無ければ、錠装置４３より低い高さ、例えば錠装置４３の高さの１／２や２／３等の高さとしてもよい。
【００４１】
さらに、立ち上がり部６５の室内側面４１からの突出距離は、錠装置４３の室内側面４１からの突出距離と同じ、言い換えれば錠装置４３の室内側と立ち上がり部６５とが接触している配置状態でもよいが、この室内側面４１からの突出距離が大きい、言い換えれば錠装置４３の室内側と立ち上がり部６５とが離間している配置状態とすることが好ましく、例えば、立ち上がり部６５の室内側面４１からの突出距離（立ち上がり部６５と室内側面４１との離間距離）が、錠装置４３の室内側面４１からの突出距離に対し、その１．５倍や２倍以上等のように大きく突出していることがより好ましい。
【００４２】
立ち上がり部６５の起立先端側は、Ｒ形状部７９（図４参照）で形成されている。立ち上がり部６５の起立先端側は、このように丸みを帯びた形状とすることで、エッジ部の無い形状となっている。また、立ち上がり部６５の起立先端側は、厚みをもたせることで、より丸みを帯びた形状としてもよく、さらには、逆Ｊ字形状など起立先端側を湾曲形成してもよい。
【００４３】
次に、上記したスラット構造の作用を説明する。
上記のスラット構造では、錠装置４３の取り付けられた幅木２３に、錠装置４３の下方に樋部３７が配置され、火災によって錠装置４３が溶けた場合、溶融軟化した溶融樹脂が樋部３７に受け止められ、下枠３１への落下が防止される。すなわち、室内側で貯留され、室外側へ表出を防ぐことができる。これにより、下枠３１に落下した溶融樹脂に、シャッターカーテン１１の外部からの火炎が着火して、下枠内の溶融樹脂が燃えることによる室外から室内への延焼が阻止される。すなわち、溶融樹脂が流れ出て炎を室内へ導くことを防止できる。また、樋部３７が、幅木２３と一体成形されるので、専用部材を製作、組み付けるのに比べ、製品コストを安価にでき、組付作業などの煩雑さを減少できる。
【００４４】
また、このスラット構造では、樋部３７の立ち上がり部６５が、錠装置４３の室内側面４１からの突出距離よりも室内側面４１から大きく突出され、錠装置４３の非取付面８１（図２参照）と立ち上がり部６５との間に間隙である溶融樹脂落下溝７７が確保される。これにより、錠装置４３の溶け落ちた溶融樹脂が、立ち上がり部６５の外側にこぼれず、樋部３７に受け止められる。その結果、溶けた錠装置４３の下枠３１への流れ落ちを阻止できる。
【００４５】
さらに、錠装置４３の取り付けられた幅木２３では、樹脂製部品である錠装置４３の下方に樋部３７が配置され、この樋部３７の最も室内側で、立ち上がり部６５が起立、すなわち室内側面４１から離間して延出し立設する。立ち上がり部６５の起立先端側は、横方向に延在し、エッジ部が除去されたＲ形状部７９となる。これにより、手指の触れた際の感じが柔らかくなり、且つ手指等が触れても障りが少ない。その結果、シャッター開閉時などにこの樋部３７を含む幅木２３を掴んでしまうことがあっても十分な安全性が確保できる。
【００４６】
また、幅木２３に錠装置４３が固定され、シャッターカーテン１１が閉められると、幅木２３が下枠３１に着地する。錠装置４３が溶融した場合には、下枠３１の直上に位置する樋部３７によって、落下する溶融樹脂が受け止められ、下枠３１への落下が防止される。すなわち、シャッターカーテン１１の最下段の幅木２３に錠装置４３などの樹脂製部品が設けられるスラット構造において、延焼を防止できる。
【００４７】
また、このスラット構造では、樹脂製部品が錠装置４３となる。換言すれば、幅木２３に、金属部品以外の樹脂部品を用いた錠装置４３の取り付けが可能となる。これにより、構成部品の素材に樹脂材料の使用比率の高い錠装置４３が用いられた場合の延焼を防止できるようになる。
【００４８】
図５（ａ）は樹脂製部品が屋内側規制部材８３である第２実施形態に係るスラット構造の縦断面図、（ｂ）は（ａ）のＡ−Ａ矢視図である。
第２実施形態に係るスラット構造は、樹脂製部品が、屋内側規制部材８３となる。屋内側規制部材８３は、幅木２３の長手方向両側に一対のものが設けられて、収納部１９へのシャッターカーテン１１の巻き込み防止用のストッパ、或いは、ガイドレールとの摺接の消音部品等として作用する。屋内側規制部材８３は、取付用溝６９に係合した板ナット７１に固定ビス７３を螺合して幅木２３に固定される。
樹脂製部品が屋内側規制部材８３であっても、火災による熱で溶融した溶融樹脂が樋部３７に受けられることになり、落下することを防ぐ。
【００４９】
図６は立ち上がり部８５が別体である第３実施形態に係るスラット構造の縦断面図、図７は図６の立ち上がり部８５を室内側から見た正面図である。
第３実施形態に係るスラット構造は、立ち上がり部８５が幅木８７と別体で形成されて幅木８７に固定される。立ち上がり部８５は、受け部６７の一部分を有して断面略Ｚ字形状となり、遮光部６３にリベット、ビス等の固定手段８９によって固定される。この場合の樋部３７は、図７に示すように、少なくとも錠装置４３よりも長い立ち上がり部８５を備え、錠装置４３の長手方向よりも長く形成される。幅木８７は、遮光部６３に立ち上がり部８５が固定されることで、樋部３７が形成される。
【００５０】
このスラット構造においても、火災によって錠装置４３が溶けると、溶け落ちた溶融樹脂が樋部３７に受け止められ、下枠３１への落下を防ぐことができる。これにより、下枠３１に落下した溶融樹脂に、シャッターカーテン１１の外部からの火炎が着火して、下枠内の溶融樹脂が燃えることによる室外から室内への延焼が阻止される。また、樋部３７が、幅木８７と別体に製作されて取り付けられるので、既存のシャッターカーテン１１に簡単に追加構成でき、また、錠装置４３以外に樹脂製部品が取り付けられている場合などに対応が可能となる。すなわち、錠装置４３の他に、幅木８７に樹脂製部品が取り付けられている場合に、その樹脂製部品の下方に樋部３７を配置するよう設けることで、溶け落ちる溶融樹脂を受け止めることが可能となる。
【００５１】
図８は樹脂製部品が幅木２３と金属製背面板９１とによって挟まれる第４実施形態に係るスラット構造の縦断面図、図９は図８の金属製背面板９１を室内側から見た正面図である。
第４実施形態に係るスラット構造は、錠装置４３が、幅木２３と、幅木２３と反対側となる屋内に向く面である非取付面８１に配置された金属製背面板９１とによって挟まれて固定される。金属製背面板９１は、背面側から挿通された固定ビス７３を板ナット７１に螺合することで、錠装置４３を幅木２３とで挟んで固定する。なお、この金属製背面板９１は、図９に示すように錠装置４３のケース５１全面を覆わなくてもよく、少なくともケース５１を幅木２３に固定するための固定ビス７３を含む部分で形成され、すなわち、この固定ビス７３を介して金属である幅木２３と金属製背面板９１とが樹脂製部品である錠装置４３を挟み込み、金属製背面板９１がワッシャ状に広面積で支えるように構成されればよい。
【００５２】
このスラット構造では、金属製背面板９１が、錠装置４３を貫通する例えば固定ビス７３によって幅木２３に固定される。つまり、錠装置４３は、幅木２３の部品取付座と金属製背面板９１との平行な対向面によって挟まれて固定される。これにより、錠装置４３は、一部分が溶融しても、即座に幅木２３からの落下が防止される。
このスラット構造によれば、錠装置４３が金属製の幅木２３と金属製背面板９１とによって挟まれて固定され、火災による熱で錠装置４３が溶融軟化して、立ち上がり部６５側に倒れるように脱落してしまうなど、一度に脱落することを防止できる。
【００５３】
図１０は立ち上がり部８５が別体で且つ樹脂製部品が幅木８７と金属製背面板９１とによって挟まれる第５実施形態に係るスラット構造の縦断面図である。
第５実施形態に係るスラット構造は、別体で形成された立ち上がり部８５が幅木８７に固定され、且つ錠装置４３が幅木８７と金属製背面板９１とによって挟持固定される。
このスラット構造によれば、上記同様に既存のシャッターカーテン１１に簡単に追加構成できるとともに、火災による熱で錠装置４３が一度に脱落することを防止できる。
【００５４】
図１１は樋部３７をスラット２１に一体に成形した第６実施形態に係るスラット構造の斜視図である。
第６実施形態に係るスラット構造は、部品被着用の帯板部材がスラット９３となる。上記のようにシャッターカーテン１１は複数のスラット２１を連結してなり、その最下段に幅木２３（８７）を連結してなる。本実施形態では、幅木２３（８７）よりも上方の任意のスラット２１の一つが部品被着用のスラット９３となって、シャッターカーテン１１を構成している。
この部品被着用のスラット９３には、受け部６７と、立ち上がり部６５と、からなる上記同様の樋部３７が形成される。
このスラット構造によれば、シャッターカーテン１１の上下方向中間の任意のスラット２１に錠装置４３やその他の樹脂製部品が設けられる場合に好適に対応して、溶融樹脂を受け止め落下させることがなく、溶融樹脂が燃えることによる室外から室内への延焼を阻止できる。
【００５５】
従って、本実施形態に係る防火シャッターのスラット構造によれば、火災による熱で錠装置４３などの樹脂製部品が溶け、その下方、例えば下枠３１に流れ落ちることによる延焼を防ぐことが可能となる。
【００５６】
なお、上述した各実施形態において述べた室内側とは、いわゆる住宅等の建物の室外側に対する室内側という意味であるばかりではなく、火災が発生した場合に延焼を防止したい側を室内側といっており、例えば建物内において、廊下で火災が発生した場合に、この廊下に面した部屋内への延焼を防止するために本発明を適用する場合には、廊下側が室外側で部屋内側が室内側ということになるもので、すなわち、屋外，屋内に限らず、隔てられた区画内への火災の延焼を防ぐために本発明が有効となるものである。
【符号の説明】
【００５７】
１１…シャッターカーテン
２１，９３…帯板部材（スラット）
２３，８７…帯板部材（幅木）
２７…ガイドレール
３１…下枠
３７…樋部
３９…連結部
４１…室内側面
４３…樹脂製部品（錠装置）
４５…カーテン側部
６５，８５…立ち上がり部
７９…Ｒ形状部
８１…非取付面
８３…樹脂製部品（屋内側規制部材）
９１…金属製背面板
【図１】
2014080760.tif 000003
【図２】
2014080760.tif 000004
【図３】
2014080760.tif 000005
【図４】
2014080760.tif 000006
【図５】
2014080760.tif 000007
【図６】
2014080760.tif 000008
【図７】
2014080760.tif 000009
【図８】
2014080760.tif 000010
【図９】
2014080760.tif 000011
【図１０】
2014080760.tif 000012
【図１１】
2014080760.tif 000013